(57)【特許請求の範囲】
【請求項１】
封水を貯溜するボウルと、前記ボウル底面付近にて連通し、末端部は排水配管と接続されるトラップとを有する大便器本体と、前記大便器本体のリム直下でボウル内面に沿って略水平にボウル側部より前方に洗浄水を吐水する洗浄ノズルと、前記ボウルの開口部より後方に位置し洗浄水を前記洗浄ノズルへ供給する洗浄水供給装置とを備えた大便器装置であって、
前記大便器本体に前記洗浄水供給装置と連通する中空状の連通道を設け、この連通道のボウル側に前記洗浄ノズルの吐水口端部を内嵌装し支持する貫通路を前記大便器本体と一体に形成し、前記貫通路はその長さ寸法が前記大便器本体の肉厚寸法より大きく且つ略同一断面積を有していることを特徴とする大便器装置。
【請求項２】
前記貫通路の前記洗浄ノズルの挿入口に面取り部（Ｃ面）を設けたことを特徴とする請求項１に記載の大便器装置。
【請求項３】
前記貫通路は、前記大便器本体を成形するためのボウル部を含む胴部成形体とボウル上部のリム部成形体とを接合することにより形成することを特徴とする請求項１又は２に記載の大便器装置。
【発明の詳細な説明】
【０００１】
【発明の属する技術分野】
本発明は大便器装置の改良に関するものである。
【０００２】
【従来の技術】
従来の大便器装置として、図５、６に示すように封水を貯溜するボウル２と、該ボウル２底面付近にて連通し、末端部は排水配管と接続されるトラップ３とを有する大便器本体１と、ボウル２の開口部４より後方に位置し、洗浄水をボウル２へ供給する洗浄水供給装置（図示せず）とを備えたものがある。この大便器装置は、ボウル２の開口部４から洗浄水供給装置までの間を大便器本体１の空洞の空間２０で構成、この空間２０の後側つまり洗浄水供給装置（図示せず）側と、前側つまりボウル２側に貫通孔２１、２２が開口され、後側の貫通孔２１と空洞の空間２０と前側の貫通孔２２とを挿通するように洗浄ノズル１５が配設されている。そして、貫通孔２１、２２の厚さ寸法は大便器本体１の肉厚と略同一の厚さ寸法を有している。
【０００３】
【発明が解決しようとする課題】
従来の技術では、洗浄水を飛び散らないように吐水するために、ボウル２付近まで挿入する洗浄ノズル１５と、空間２０の後側から洗浄ノズル１５と洗浄水供給装置とを連絡する配管が必要となるなど部品点数が多かった。そして、洗浄ノズル１５をボウル２付近まで挿入した場合でも大便器本体１の空洞の空間２０が広く、ボウル側のノズル位置決めが大便器本体の肉厚と略同一の厚さ寸法の貫通孔２２の内縁のみでなされるので、洗浄ノズル１５の位置決めとしては不十分であり、洗浄水の飛び出しが発生する可能性があった。
また、洗浄ノズル１５を使用せずに、洗浄供給装置（図示せず）から直接貫通孔２１を介して空間部２０に洗浄水を供給して、貫通孔２２からボウル２に吐水する場合、貫通孔２２の厚さが大便器本体の肉厚と略同じであるため貫通孔２２から吐水際に整流されず吐水方向が安定しなかった。
【０００４】
そこで、本発明の目的は、大便器本体のリム直下でボウル内面に沿って略水平にボウル側部より前方に洗浄水を吐水する洗浄ノズルと、前記ボウルの開口部より後方に位置し洗浄水を前記洗浄ノズルへ供給する洗浄水供給装置とを備えた大便器装置の部品点数をおさえ安価な大便器装置を実現し、洗浄水の飛び散りや飛び出しを防止することにある。
また、前記洗浄ノズルを使用せずに大便器本体のリム直下でボウル内面に沿って略水平にボウル側部より前方に洗浄水を吐水する吐水口を大便器本体と一体に設け、前記吐水口からの吐水方向が安定し、洗浄水の飛び散りや飛び出しを防止する大便器装置を提供することにある。
【０００５】
【課題を解決するための手段およびその作用・効果】
本発明は、封水を貯溜するボウルと、前記ボウル底面付近にて連通し、末端部は排水配管と接続されるトラップとを有する大便器本体と、前記ボウルの開口部より後方に位置し洗浄水を前記ボウルへ供給する洗浄水供給装置とを備えた大便器装置であって、前記大便器本体に前記洗浄水供給装置と連通し前記大便器本体のリム直下で前記ボウル内面に沿って略水平方向に洗浄水を吐出する吐水口を設け、前記吐水口の長さ方向の寸法が前記大便器本体の肉厚寸法より大きい所定の長さで、且つ略同一断面積を有していることを特徴とする。
前記吐水口の長さ方向の寸法が前記大便器本体の肉厚寸法より大きい所定の長さで、且つ略同一断面積を有しているため、洗浄水供給装置からの供給される洗浄水が十分に整流されて吐水口の先端から吐水され、洗浄水の飛び散りや飛び出しが防止される。また、別体の洗浄ノズルを介さずに安定した流れの洗浄水をボウルに供給でき、安価な大便器装置を実現することができる。
【０００６】
また、本発明の好ましい態様においては、前記吐水口は、前記大便器本体を成形するためのボウル部を含む胴部成形体とボール上部のリム部成形体とを接合することにより形成するようにする。
そうすることにより所望の長さの吐水口を容易に形成できる。
【０００７】
また、本発明は、封水を貯溜するボウルと、前記ボウル底面付近にて連通し、末端部は排水配管と接続されるトラップとを有する大便器本体と、前記大便器本体のリム直下でボウル内面に沿って略水平にボウル側部より前方に洗浄水を吐水する洗浄ノズルと、前記ボウルの開口部より後方に位置し洗浄水を前記洗浄ノズルへ供給する洗浄水供給装置とを備えた大便器装置であって、前記洗浄ノズルの吐水口端部を内嵌装し支持する貫通路を前記大便器本体と一体に形成し、前記貫通路はその長さ寸法が前記大便器本体の肉厚寸法より大きく且つ略同一断面積を有していることを特徴とする。
洗浄ノズルの吐水口端部を内嵌装し支持する貫通路が前記大便器本体の肉厚寸法より大きく且つ略同一断面積を有しているので、洗浄ノズルを貫通路の挿入するだけで洗浄水ノズルの吐水口端部の位置が容易に決まると共に、吐水口からの洗浄水の吐水方向も安定して洗浄水がボウルの外に飛び出すことがない。
【０００８】
本発明の好ましい態様においては、前記貫通路の前記洗浄ノズルの挿入口に面取り部（Ｃ面）を設けるようにする。
挿入口に面取り部（Ｃ面）を設けることにより、洗浄ノズルを貫通路に挿入する際に面取り部がガイドとなって、洗浄ノズルがスムースに挿入される。
【０００９】
また、本発明の好ましい態様においては、前記貫通路は、前記大便器本体を成形するためのボウル部を含む胴部成形体とボール上部のリム部成形体とを接合することにより形成するようにする。
そうすることにより所望の長さの貫通路を容易に形成できる。
【００１０】
【発明の実施の形態】
本発明に係わる第一の実施形態について説明する。図１は本発明の大便器装置の第一の実施形態を示した大便器装置の平面図である。
図１において、１は大便器本体、２は封水を貯溜するボウル、３はボウル２の底面付近にて連通し末端部は排水配管と接続されるトラップを示す。本発明の大便器装置において、洗浄水をボウル２へ供給する洗浄水供給装置である貯水タンク（図示せず）をボウル２の開口部４よりも後方に備えている。ここで、洗浄水供給装置は給水源を水道圧を利用した水道直圧式でも良い。
【００１１】
さらに、本発明の大便器装置において、ボウル２とボウル２の開口部４より後方に位置する貯水タンク（図示せず）とを連通させる中空状の連通道５が設けられおり、前記連通道５のボウル２側には略同一断面積を有する貫通路６が所定の長さで設けられ、貫通路６の先端部に吐水口７が構成されている。貯水タンク底面に設けられたバルブを開くことより供給された洗浄水は連通道５を通過し、貫通路６を通り、吐水口７よりボウル２の内面を沿って略水平に前方に洗浄水が吐水され、ボウル２の洗浄を行う。
【００１２】
図２は本発明の大便器装置の第一の実施形態の大便器装置の吐水口７付近の断面Ａ−Ａを示す図である。図２において、８はリム上面、９は袴を示す。本発明の大便器装置の大便器本体１は、リム上面８を含むリム部成形体１１とボウル２および袴９を含む胴部成形体１２とを上下方向で接着ライン１０にて接着されて製造される構造であり、前記連通道５および略同一断面積が所定の長さ続くの貫通路６は、リム部成形体１１に設けられた凹形状１３と胴部成形体１２に設けられた凹形状１４とにより構成される構造である。
【００１３】
本発明において、洗浄水が通過する連通道５に略同一断面積が所定の長さ続く貫通路６を設けたので、ボウル２へ別部品で構成した洗浄ノズルを介さずに、貫通路６により整流された安定した流れの洗浄水を供給でき、部品点数をおさえながら、洗浄水の飛び出しのない大便器装置を提供することができる。さらに、大便器本体１をリム部成形体１１と胴部成形体１２を接合して形成する構成としたので、略同一断面積が続く貫通路６を容易に構成することでき、部品点数をおさえながら、安定した流れの洗浄水を供給でき、洗浄水の飛び出しのない大便器装置が実現できる。
【００１４】
本発明に係わる第二の実施形態について説明する。図３は本発明の大便器装置の第二の実施形態を示した大便器装置の平面図である。
図３に示す大便器本体１の各構成の説明は、図１に示す大便器装置と同じであるので省略し、図中の番号も同じ番号を使用する。
【００１５】
この第二の実施形態の場合、洗浄ノズル１５が連通道５の後側の貫通孔２２から連通道５内に挿入され、その先端部近傍が貫通路６内に内嵌装して支持している。そして、後端部は貯水タンク（図示せず）と連絡した構成としている。
貫通路６の内径寸法は洗浄ノズル１５の外径寸法より若干大きい寸法で、洗浄ノズル１１を貫通路６にスムースに挿入でき、しかも挿入後の洗浄ノズル１１と貫通路６との間の空隙ができるだけ小さい寸法に設定している。
以上の構成で貯水タンク（図示せず）底面に設けられたバルブを開くことより供給された洗浄水は洗浄ノズル１５内を通過し吐水口７よりボウル２の内面を沿って略水平に前方に洗浄水が吐水され、ボウル２の洗浄を行う。
【００１６】
さらに、この大便器装置の大便器本体１は、第一の実施形態と同様に、図２に示す如く、リム上面８を含むリム部成形体１１とボウル２および袴９を含む胴部成形体１２とを上下方向で接着ライン１０にて接着されて製造される構造であり、前記連通道５および略同一断面積が所定長さ続く貫通路６は、リム部成形体１１に設けられた凹形状１３と胴部成形体１２に設けられた凹形状１４とにより構成される構造である。
【００１７】
本発明において、洗浄ノズル１５は略同一断面積が所定長さ続く貫通路６により、洗浄ノズル１５の方向が規制されるため、洗浄ノズル１５の方向は常に一定となり、安定した流れの洗浄水を供給でき、洗浄水の飛び出しのない大便器装置を提供することができる。さらに、貫通路５を大便器本体１のリム部成形体１１と胴部成形体１２とを接合して形成したので、略同一断面積で所定長さの貫通路６を容易に構成することできる。また貫通路６の後側の端部にＣ面形状２３も合わせて容易に構成することできるため、洗浄ノズル１５を貫通路６に後方より挿入する際の作業性が良い。
【図面の簡単な説明】
【図１】本発明に係る大便器装置の第一実施形態の平面図。
【図２】図１に示す大便器装置のＡ−Ａ断面図。
【図３】本発明に係る大便器装置の第二実施形態の平面図。
【図４】図３に示す大便器装置の平面部分拡大図。
【図５】従来の大便器装置の平面図。
【図６】図５に示す大便器装置のＢ−Ｂ断面図。
【符号の説明】
１…大便器本体
２…ボウル
３…トラップ
４…ボウル部
５…連通道
６…貫通路
７…吐水口
８…リム上面
９…袴
１０…接着ライン
１１…リム部成形体
１２…胴部成形たい
１３、１４…凹形状
１５…洗浄ノズル
２０…空間
２１、２２…貫通孔
２３…Ｃ面形状（面取り部）
【図１】
0004141153.tif 000002
【図２】
0004141153.tif 000003
【図３】
0004141153.tif 000004
【図４】
0004141153.tif 000005
【図５】
0004141153.tif 000006
【図６】
0004141153.tif 000007